(57)【要約】【課題】レーザー墨出し器の安定度をより向上させることができるとともに、壁面等との干渉が発生しにくいレーザー墨出し器のベースを提供する。【解決手段】レーザー墨出し器を載置する台座部３２と、床面と接地する接地点を有する複数の脚部４０とを備えたレーザー墨出し器のベース３０であって、台座部３２には、レーザー墨出し器を固定する取り付け穴ＨＬが鉛直方向に設けられている。各脚部４０は水平方向にスライド可能であり、接地点の張り出し量を調節可能である。そして台座部３２には、水平方向にスライド可能な各々の脚部４０を収容可能な各々の案内穴Ｈが水平方向に設けられているとともに、各案内穴Ｈが収容する脚部４０のスライド方向への延長線が前記取り付け穴ＨＬを避ける方向となるように、各案内穴Ｈが設けられている。【選択図】        図３
2006189323.tif 000002
【特許請求の範囲】
【請求項１】
レーザー墨出し器を載置する台座部と、床面と接地する接地点を有する複数の脚部とを備えたレーザー墨出し器のベースであって、
台座部には、レーザー墨出し器を固定する取り付け穴が鉛直方向に設けられており、
各脚部は水平方向にスライド可能であり、
台座部には、水平方向にスライド可能な各々の脚部を収容可能な各々の案内穴が水平方向に設けられているとともに、各案内穴が収容する脚部のスライド方向への延長線が前記取り付け穴を避ける方向となるように、各案内穴が設けられている、
ことを特徴とするレーザー墨出し器のベース。
【請求項２】
請求項１に記載のレーザー墨出し器のベースであって、
各案内穴は袋小路状であり、
案内穴に収容可能な脚部の部分に対して、案内穴から突出した部分の側面を覆うように伸縮可能な蛇腹部材を設ける、
ことを特徴とするレーザー墨出し器のベース。
【請求項３】
請求項１または２に記載のレーザー墨出し器のベースであって、
各脚部は、スライド方向に対して垂直な方向から、押し付け機構を介して、所定の力で案内穴内に押し付けられている、
ことを特徴とするレーザー墨出し器のベース。
【発明の詳細な説明】
【技術分野】
【０００１】
本発明は、建築現場等における墨出し作業に用いられるレーザー墨出し器を載置する、レーザー墨出し器のベースに関する。
【背景技術】
【０００２】
近年、建築現場等における墨出し作業には、手間がかからず、高精度なレーザー光を用いたレーザー墨出し器が広く利用されている。
ここで、図１を用いて従来のレーザー墨出し器を説明する。
レーザー墨出し器２はレーザー墨出し器の従来のベース３（以下、「従来ベース３」と記載する）に載置され、レーザー墨出し装置１を構成している。レーザー墨出し器２は、壁面や天井面に扇状にレーザー光を照射して、照射した壁面や天井面にレーザー光で鉛直線や水平線を引く。
従来のレーザー墨出し装置には、例えば特許文献１〜特許文献５に示すように、種々の形状のレーザー墨出し器２及び従来ベース３が提案されている。
【特許文献１】特開２００４−３１７４１６号公報
【特許文献２】特開２００４−３０９２１３号公報
【特許文献３】特開２００４−３０１７５６号公報
【特許文献４】特開２００３−２４５８７８号公報
【特許文献５】特開２００３−１７７０２０号公報
【発明の開示】
【発明が解決しようとする課題】
【０００３】
墨出し作業で引かれる鉛直線及び水平線は、非常に高い精度が要求される。そのため、レーザー墨出し装置１における従来ベース３は、載置される床面に対してレーザー墨出し器２を振動等させることなく安定させる必要がある。
安定度をより向上させるためには、従来ベース３における床面と接地する接地点は、できるだけ張り出していることが好ましい（各接地点は、水平方向において、レーザー墨出し器２から、できるだけ遠い位置で床面に接地していることが好ましい）。
しかし、墨出し作業を行う場所によっては、張り出した接地点が床面の段差あるいは壁面等と干渉する可能性がある。
上記の特許文献１〜５に記載の従来技術では、従来ベース３の接地点の張り出し量が固定されている（レーザー墨出し器２から床面との接地位置までの水平方向が固定されている）。このため、接地点の張り出し量を大きくすると、安定度をより向上させることができるが、壁面等との干渉が発生する頻度も高くなる。
本発明は、このような点に鑑みて創案されたものであり、レーザー墨出し器の安定度をより向上させることができるとともに、壁面等との干渉が発生しにくいレーザー墨出し器のベースを提供することを課題とする。
【課題を解決するための手段】
【０００４】
上記課題を解決するための手段として、本発明の第１発明は、請求項１に記載されたとおりのレーザー墨出し器のベースである。
請求項１に記載のレーザー墨出し器のベースは、レーザー墨出し器を載置する台座部と、床面と接地する接地点を有する複数の脚部とを備えたレーザー墨出し器のベースであって、台座部には、レーザー墨出し器を固定する取り付け穴が鉛直方向に設けられている。
各脚部は水平方向にスライド可能であり、接地点の張り出し量を調節可能である。
そして台座部には、水平方向にスライド可能な各々の脚部を収容可能な各々の案内穴が水平方向に設けられているとともに、各案内穴が収容する脚部のスライド方向への延長線が前記取り付け穴を避ける方向となるように、各案内穴が設けられている。
【０００５】
また、本発明の第２発明は、請求項２に記載されたとおりのレーザー墨出し器のベースである。
請求項２に記載のレーザー墨出し器のベースは、請求項１に記載のレーザー墨出し器のベースであって、各案内穴は袋小路状である。
また、案内穴に収容可能な脚部の部分に対して、案内穴から突出した部分の側面を覆うように伸縮可能な蛇腹部材を設ける。
【０００６】
また、本発明の第３発明は、請求項３に記載されたとおりのレーザー墨出し器のベースである。
請求項３に記載のレーザー墨出し器のベースは、請求項１または２に記載のレーザー墨出し器のベースであって、各脚部は、スライド方向に対して垂直な方向から、押し付け機構を介して、所定の力で案内穴内に押し付けられている。
【発明の効果】
【０００７】
請求項１に記載のレーザー墨出し器のベースは、水平方向にスライド可能な複数の脚部を張り出せば（伸長させれば）、載置したレーザー墨出し器の安定度をより向上させることができる。
また、張り出した脚部（または当該脚部が有する接地点等）が壁面等と干渉する場合、当該脚部を伸長方向と逆の方向にスライドさせて縮めることで、干渉を回避させることができる。
なお、台座部に設けた案内穴は、各々が収容する脚部のスライド方向への延長線が、取り付け穴を避ける方向となるように形成されている（図３（Ａ）及び図５（Ａ）参照）。
これにより、脚部を縮めた際、脚部を放射状に配置した場合（図５（Ｂ））よりも、レーザー墨出し器と脚部の接地点との水平方向の距離をより小さくすることができ、壁面等との干渉を低減することができる（図５（Ａ）及び（Ｂ）参照）。
【０００８】
また、請求項２に記載のレーザー墨出し器のベースによれば、各案内穴は袋小路状であるため、貫通穴に比べてダスト等の侵入が抑制される。また、案内穴に収容される脚部の側面を伸縮可能な蛇腹部材で覆うことで、更にダスト等の侵入を抑制することができ、脚部の円滑な動きを維持することが可能である。
【０００９】
また、請求項３に記載のレーザー墨出し器のベースによれば、各脚部は固定されている訳ではなく、所定の力で案内穴内に押し付けられている。
このため、脚部のスライド時にネジ等を緩めたり締め付けたりする必要がなく、手間なく脚部をスライドさせることができる。
【発明を実施するための最良の形態】
【００１０】
以下に本発明を実施するための最良の形態を図面を用いて説明する。図１はレーザー墨出し器２及び従来ベース３とで構成された、従来のレーザー墨出し装置１の外観及び使用方法の例を説明する図である。
例えば壁面等で囲まれた空間１０内の基準点Ｌｇに、レーザー墨出し装置１の真下から照射される地墨用レーザー光を一致させる。レーザー墨出し装置１は、扇状にレーザー光を照射して、照射したレーザー光にて水平線や鉛直線（輝線Ｌｘｙ、輝線Ｌｘｚ、輝線Ｌｙｚ）を引く。
従来ベース３における床面との接地点は、レーザー墨出し器２から水平方向において、できるだけ遠い位置にすることが、安定度をより向上させることができるため好ましい。しかし、基準点Ｌｇの位置が壁面等（鉛直な壁面等）に近い場合等では、当該壁面等と干渉する可能性がある。
本発明のレーザー墨出し器のベース３０（以下、「ベース３０」と記載する）は、従来ベース３に対してレーザー墨出し器２の安定度をより向上させることができるとともに、壁面等との干渉を発生させにくくする構造を有している。
【００１１】
●［ベース３０の外観及び内部構造（図２、図３、図４）］
図２（Ａ）は、本発明のベース３０の平面図を示しており、図２（Ｂ）は同ベース３０の側面図を示している。また、図３（Ａ）は図２（Ｂ）における断面ＢＢを示しており、図３（Ｂ）は図２（Ａ）における断面ＡＡを示している。また図４は、接地点（接地足４８）を含む脚部４０を台座部３２に組み付けてベース３０を構成する場合の各部品（各部品の形状は概略）を示す分解斜視図を示している。
このベース３０を従来ベース３と置き換えて、レーザー墨出し器２とベース３０にてレーザー墨出し装置１を構成する。
また、全ての図においてｚ軸は鉛直方向を示しており、ｘ軸及びｙ軸は水平方向を示しており、ｘ軸とｙ軸とｚ軸は各々直交している。なお、「鉛直方向」は重力の向かう方向を示し、「垂直方向」は対象物に対して直角の方向を示す。
【００１２】
図２（Ａ）及び（Ｂ）に示すように、ベース３０はレーザー墨出し器２を載置（固定）する台座部３２と、床面と接地する接地点（この場合、接地足４８）を有する複数の脚部４０とを有している。なお、本実施の形態に示すベース３０は、３本の脚部４０と３点の接地点（接地足４８）の例を示しているが、図６に示すように、２本以上の脚部４０と、３点以上の接地点（接地足４８）を備えていればよい。
台座部３２には、レーザー墨出し器２を固定する取り付け穴ＨＬ（地墨用レーザー光が通過する穴でもある）が鉛直方向に設けられている。
脚部４０は水平方向にスライド可能であり、作業者が所定の力よりも大きな力を加えることで、スライドさせることができる。なお、図２（Ａ）における上側に位置している脚部４０は最も収縮方向にスライドさせた状態（水平方向において接地点がレーザー墨出し器２に最も近くなる位置）の例を示しており、図２（Ａ）における左右に位置している脚部４０は最も伸長方向にスライドさせた状態（水平方向において接地点がレーザー墨出し器２から最も遠くなる位置）の例を示している。
【００１３】
抜け防止ネジ５８は、図２（Ａ）及び図３（Ｂ）に示すように、脚部４０の最大伸長位置を設定している。脚部４０のスライド部材４２には抜け防止溝Ｍｖ（図３（Ｂ）、図４参照）が設けられており、脚部４０を伸長させていくと、やがて穴Ｈｆに挿入された抜け防止ネジ５８が抜け防止溝Ｍｖの終端部に接触する。これにより、脚部４０の最大伸長位置が決定され、脚部４０が台座部３２から抜け落ちることを防止している。
【００１４】
脚部４０はスライド部材４２と接地足４８と連結部材４６とで構成されている（図４参照）。連結部材４６は、図３（Ａ）及び（Ｂ）に示すように、穴Ｈｃ及び穴Ｈｄに挿入された固定部材５５及び５７（ネジ等）にてスライド部材４２に固定されている。また接地足４８と連結部材４６との接続部にはネジ部が形成されており、軸Ｒを中心に接地足４８を回転させることで、接地足４８を軸Ｒに沿って移動させることが可能である。また、連結部材４６にはカバー４９が設けられており、接地足４８と連結部材４６との接続部のネジ部にダスト等が侵入することを防止している。
また接地足４８は、水平面に対して直角よりも大きな角度θ（例えば、約９５°）を持つように取り付けられており、台座部３２に載置したレーザー墨出し器２からより遠い位置で床面と接地するように構成されている。
【００１５】
図３（Ａ）及び（Ｂ）に示すように、台座部３２には、水平方向にスライド可能な各々の脚部４０を収容可能な各々の案内穴Ｈが、水平方向に設けられている。
また各案内穴Ｈは、各々の案内穴Ｈが収容する脚部４０（スライド部材４２）のスライド方向への延長線が、取り付け穴ＨＬを通らない位置（前記延長線が取り付け穴ＨＬと干渉しない位置）、すなわち前記延長線が取り付け穴ＨＬを避ける方向に形成されている。
例えば図５（Ａ）に示す脚部４０及び案内穴Ｈの配置状態（概略）が本実施の形態に示すベース３０における案内穴Ｈの配置である。これに対して図５（Ｂ）及び（Ｃ）に示す脚部４０及び案内穴Ｈの配置状態（概略）は、各々の案内穴Ｈが収容する脚部４０のスライド方向への延長線が取り付け穴ＨＬを通る位置に配置した例を示している。図５（Ｂ）及び（Ｃ）の例では、各案内穴Ｈの終端が取り付け穴ＨＬと対向する位置となり、取り付け穴ＨＬから放射状に案内穴Ｈが配置されている。以下、図５（Ａ）に示す本実施の形態に示す脚部４０の配置に対して、図５（Ｂ）及び（Ｃ）に示す脚部４０の配置を、「放射状配置」という。
なお、取り付け穴ＨＬはレーザー墨出し器２から鉛直下方に照射される地墨用レーザー光が通過するため、脚部４０が取り付け穴ＨＬをまたがってはならない。
【００１６】
また、図３（Ａ）及び図４に示すように、スライド部材４２はスライド方向に対して垂直な方向から押し付け機構を介して、所定の力で案内穴Ｈ内に押し付けられている。
押し付け機構は、例えば図４に示すように、スライド部材４２の側面に形成されたスライド溝Ｍｈに押し付け板５４を接触させ、案内穴Ｈに対して垂直方向に形成された穴Ｈａ及び穴Ｈｂに、ピン５１ａ及び５１ｂ、弾性部材５２ａ及び５２ｂ（コイルスプリング等）、固定部材５３ａ及び５３ｂ（ネジ等）を挿入して構成する。
なお、本実施の形態では、スライド部材４２は押し付け機構を介して水平方向から案内穴Ｈ内に押し付けられている。
従って、スライド部材４２が案内穴Ｈ内に押し付けられている摩擦力よりも大きな力をスライド方向（伸長または収縮の方向）に加えることで、作業者は脚部４０をスライドさせることができる。このとき、固定部材５３ａ及び５３ｂを操作する必要がない（この場合、ネジを回す必要がない）ので、脚部４０のスライドには手間がかからず、作業効率がよい。
【００１７】
蛇腹部材４４は、案内穴Ｈから突出したスライド部材４２の側面を覆う、いわゆるダストブーツである。
図３（Ａ）及び図４に示すように、蛇腹部材４４は伸縮可能であり、蛇腹部材４４の一方の端部は固定リング５６ｂにて台座部３２に固定されており、蛇腹部材４４の他方の端部は固定リング５６ａにて連結部材４６に固定されている。
また案内穴Ｈは袋小路状であり、穴Ｈｆ、穴Ｈａ、穴Ｈｂは各々抜け防止ネジ５８、固定部材５３ａ、固定部材５３ｂにて塞がれている。従って蛇腹部材４４を設けることで、スライド部材４２の側面からダスト等が案内穴Ｈ内に侵入することを防止することができ、スライド部材４２の円滑なスライド動作を維持することが可能である。
【００１８】
●［本実施の形態の効果（図５）］
次に、図５（Ａ）〜（Ｃ）を用いて本実施の形態にて説明したベース３０の効果について説明する。図５（Ａ）は本実施の形態にて説明した脚部４０の配置状態（概略）を示しており、図５（Ｂ）及び（Ｃ）は「放射状配置」の状態（概略）を示している。
図５（Ａ）に示す本実施の形態の脚部４０の配置において、左図は長さＬの脚部４０を最も収縮方向にスライドさせた状態を示しており、接地足４８（接地点）は直径ＷＳの円周上に位置している。また右図は長さＬの脚部４０を最も伸長方向にスライドさせた状態を示しており、接地足４８は直径ＷＷの円周上に位置している。
図５（Ｂ）に示す「放射状配置」は図５（Ａ）と同じ長さＬの脚部４０を用いており、左図は長さＬの脚部４０を最も収縮方向にスライドさせた状態を示しており、接地足４８は直径ＷＴの円周上に位置している。また右図は長さＬの脚部４０を最も伸長方向にスライドさせた状態を示しており、接地足４８は直径ＷＸの円周上に位置している。図からも明らかなように、ＷＸ＞ＷＷであり、放射状配置のほうが、伸長した場合に接地足４８の張り出し量が大きい。しかし、ＷＴ＞ＷＳであり、収縮させた場合は本実施の形態のほうが脚部４０の張り出し量を小さくできる。従って同じ長さの脚部４０の場合、本実施の形態に示した構造のほうが、「放射状配置」よりも壁面等との干渉が発生しにくい。
【００１９】
また図５（Ｃ）に示す「放射状配置」は、脚部４０を最も収縮させた状態にて、接地足４８が直径ＷＳの円周上に配置（すなわち、最も収縮時の張り出し量が図５（Ａ）の左図と同じ）されるように脚部４０の長さをＬＳ（図５（Ｃ）の脚部４０の長さＬＳは、図５（Ａ）の脚部４０の長さＬよりも短い）とした場合の図である。左図は長さＬＳの脚部４０を最も収縮方向にスライドさせた状態を示しており、接地足４８は直径ＷＳの円周上に位置している。また右図は長さＬＳの脚部４０を最も伸長方向にスライドさせた状態を示しており、接地足４８は直径ＷＷａの円周上に位置している。図からも明らかなように、ＷＷａ＜ＷＷであり、図５（Ｃ）に示す「放射状配置」では図５（Ａ）に対して収縮時における接地足４８の張り出し量が同じであっても、伸長時における接地足４８の張り出し量が小さい。すなわち図５（Ｃ）に示す「放射状配置」は図５（Ａ）に示す本実施の形態に対して、壁面等との干渉が発生しにくい点は同等であっても、接地足４８の張り出し量が小さい。
以上に説明したように、本実施の形態にて説明したベース３０は「放射状配置」に対して、接地足４８の張り出し量をできるだけ小さくして壁面等との干渉を低減することと、接地足４８の張り出し量をできるだけ大きくして載置するレーザー墨出し器２の安定度をより向上させることとを両立している。
【００２０】
なお図６に脚部４０と接地足４８の配置の例の略図を示す。脚部４０に接地足４８を１つ設ける場合、脚部４０は３本または４本、あるいはそれ以上であってもよい（図６（Ａ）及び（Ｂ）参照）。
また脚部４０に接地足４８を複数設ける場合、脚部４０は２本以上（複数）であればよい（図６（Ｃ）参照）。
【００２１】
本発明のレーザー墨出し器のベース３０は、本実施の形態で説明した形状、外観、構造等に限定されず、本発明の要旨を変更しない範囲で種々の変更、追加、削除が可能である。
本実施の形態では、接地足４８を水平面に対して直角よりも大きな角度θで取り付けた例を示したが、接地足４８を水平面に対して直角に取り付けてもよい。
押し付け機構は、本実施の形態にて説明した、押し付け板５４、ピン５１ａ及び５１ｂ、弾性部材５２ａ及び５２ｂ、固定部材５３ａ及び５３ｂに限定されるものではない。
また、本実施の形態の説明では案内穴Ｈへのダスト等の侵入を抑制するために、案内穴Ｈを袋小路状に形成したが、案内穴Ｈを貫通穴に形成してもよい。
また、本実施の形態の説明では案内穴Ｈへのダスト等の侵入を抑制するために、蛇腹部材４４を装着したが、蛇腹部材４４を省略してもよい。
【図面の簡単な説明】
【００２２】
【図１】レーザー墨出し器２及び従来ベース３とで構成された、従来のレーザー墨出し装置１の外観及び使用方法の例を説明する図である。
【図２】本発明のレーザー墨出し器のベース３０の外観の例を説明する図である。
【図３】本発明のレーザー墨出し器のベース３０の内部構造の例を説明する断面図である。
【図４】脚部４０を台座部３２に組み付ける際の各部品を示す分解斜視図である。
【図５】本実施の形態に示す脚部４０の配置による効果を説明する図である。
【図６】脚部４０と接地足４８の配置の例を説明する略図である。
【符号の説明】
【００２３】
１      レーザー墨出し装置
２      レーザー墨出し器
３      従来ベース
３０    ベース（レーザー墨出し器のベース）
３２    台座部
４０    脚部
４２    スライド部材
４４    蛇腹部材
４６    連結部材
４８    接地足（接地点）
Ｈ      案内穴
ＨＬ    取り付け穴
Ｍｖ    抜け防止溝
Ｍｈ    スライド溝
【図１】
2006189323.tif 000003
【図２】
2006189323.tif 000004
【図３】
2006189323.tif 000005
【図４】
2006189323.tif 000006
【図５】
2006189323.tif 000007
【図６】
2006189323.tif 000008